Podtech/llm-jp-corpus-v4-ja_patent huggingface dataset:
(57)【要約】　　　（修正有）【課題】負圧タンク内の底に落ち貯った物を排出する装置である。負圧タンク内より比重の大きい物をタンク外に押し出し分離する事を目的にしたもので、流体ポンプと本装置を組合せる事により、負圧タンク作業の連続運転が出来る。【解決手段】本体枠３とゴム弁４弁押えローラー５ピストンロッド２により構成されている。上部タンク１内の水中の残滓はゴム弁の中に落ち込みピストンロッドがこれを繰返し突き詰めてゴム弁を押し広げ外に排出するものである。通常、この様な作業は、タンク内が負圧になっており上部の水はポンプにより排出されるので貯まった残渣を排出することにより連続作業が可能となる。【選択図】　図１
2004136265.tif 000002
【特許請求の範囲】
【請求項１】
圧迫されたゴム弁の間に、ピストンで繰返しタンク内の残滓を突き詰めて、排出する装置
【請求項２】
ゴム弁に於て、残滓に接する面に、短い板ゴムから順次、長い板ゴムを重ね合せた構造
【発明の詳細な説明】
（請求項１について）
本発明は、本体枠▲３▼とゴム弁▲４▼弁押えローラー▲５▼ピストンロット▲２▼により構成されている。上部タンク▲１▼内の水中の残滓はゴム弁▲４▼の中に落ち込みピストンロット▲２▼がこれを繰返し突き詰めてゴム弁▲４▼を押し広げ外に排出するものである通常この様な作業は、タンク▲１▼内が負圧になっており上部の水はポンプにより排出されるので下に貯った残滓を排出することにより連続作業が可能になる
（請求項２について）
ゴム弁は耐磨耗性ゴム、スポンジゴムを重ね合せた暦の様な構造になっており残滓に接する面より順次外側に短い板ゴムから長い板ゴムになっている．この構造により残滓の形への適応性と気密性と、残滓の逆戻り防止効果と耐久性も得られる
（産業上の使途）　本発明は流体、気体と固体の分離が出来るので、下水道の汚泥中の土砂排出等の水処理、製材所の鋸屑集塵排出、工場内の活性炭入替等空気コンベアーの荷の取出しが連続して行える
【図面の簡単な説明】
【図１】タンクに接続した本発明装置の断面図である
【符号の説明】
１　タンク
２　ピストンロット
３　本体枠
４　ゴム弁
５　弁押えローラー
【図１】
2004136265.tif 000003
(57)【要約】【課題】現在、大半が未利用のまま焼却処分されている豆腐の副産物おからを処理する時間、労力そしてコストの削減を実現すると共に、豆腐加工の際に大量に産業廃棄物となるおからの処理をするだけにとどまらず、付加価値を持たせたおからの有効利用を実現する。【解決手段】おからと水をスラリー状に混合し第一反応器に入れ２９５゜Ｃで２分間反応させ加水分解と脱水分解をさせたものを第二反応器に移し、酸素を７２％供給し２９５゜Ｃで２分間反応させ、冷却器に移し４０゜Ｃまで冷却後、生成されたシリカ成分を個体液体分離器により分離する、この際生成される炭酸ガスは気体液体分離器により分離させ、最終的にゼオライト膜を利用した膜分離を行い酢酸濃度と純度を高め酢酸を合成することができ、豆腐加工の際に大量に産業廃棄物となるおからの有効利用を可能にする。【特許請求の範囲】
【請求項１】
おからを超臨界水酸化反応または亜臨界水酸化反応により酸化分解するおからの処理方法であって、超臨界水酸化反応または亜臨界水酸化反応の後にそれらの分解物とともにカルシウム、またはマグネシウム、またはナトリウム、またはカリウムと反応させることにより酢酸カルシウム、または酢酸マグネシウム、または酢酸ナトリウム、または酢酸カリウムに変化させることを特徴とするおからの処理方法。
【発明の詳細な説明】
【０００１】
【発明が属する技術分野】
本発明は、おからの処理方法に関するものであるり、おからに水と酸化剤を混合し亜臨界または超臨界で反応させ膜分離をし酢酸の濃度を高め酢酸を合成するシステムである。
【０００２】
本発明は、おからと水をスラリー状に混合し第一反応器に入れ２９５゜Ｃで２分間反応させ加水分解と脱水分解をさせたものを第二反応器に移し、酸素を７２％供給し２９５゜Ｃで２分間反応させ、冷却器に移し４０゜Ｃまで冷却後、生成されたシリカ成分を固体液体分離器により分離する、この際生成される炭酸ガスは気体液体分離器により分離させ、最終的にゼオライト膜を利用した膜分離を行い酢酸濃度と純度を高め酢酸を合成するシステムである。
【０００３】
【従来の技術】
おからの処理および利用の方法は、大半が未利用のまま産業廃棄物として焼却処分されるほか、おからを加熱することにより乾燥おからを製造し、食品加工用、家畜飼料の原料や堆肥化等に利用される。
【０００４】
豆腐加工の際に大量に産業廃棄物のとなるおからは、大半が未利用のまま焼却処分されているためリサイクル率が低い。
【０００５】
しかし、大量のおからを処理するには時間と労力、そして膨大な設備投資が不可欠であり、これをリサイクルするためには、おからの約８０％を占める水分を８％以下に取り除く装置が必要になるため処理コストが高く、家畜飼料の原料や堆肥化には長期の時間と場所が必要となり、また利用が限定されているため消費が伸びないためリサイクル率も低い。
【０００６】
【発明が解決しようとする課題】
本発明は、水の超臨界領域あるいは亜臨界領域において、おからを酸化分解する処理方法に関するものである。搬出されるおからの水分含量による物理性に左右されること無く短時間でほぼ完全に分解するおからの処理方法である。
【０００７】
【課題を解決するための手段】
おからを超臨界水酸化反応または亜臨界水酸化反応により酸化分解する。
【０００８】
【発明の効果】
本発明にかかわるおからの処理方法では、おからを短時間でほぼ完全に分解するとともに、超臨界水酸化反応または亜臨界水酸化反応の後にそれらの分解物とともにカルシウム、またはマグネシウム、またはナトリウム、またはカリウムと反応させることにより酢酸カルシウム、または酢酸マグネシウム、または酢酸ナトリウム、または酢酸カリウムに変化させることができた。
(57)【要約】【課題】車等に搭載可能の空缶を効率時に破砕することができる破砕機を提供することを課題とする。【解決手段】底部に排出口２を設け中央に駆動軸３を設ける。駆動軸３の下部に、上面に刃７，７，７，７，７，７を、下面には羽根を８，８，８，８，８，８を設けた有孔円盤５を設け、上部に回転刃９を設ける。本体１の内周面に上下２段に両刃１０，１０，１０，１１，１１，１１を半径方向に突出して設け、本体１の内周面に凸部１２ａを有する鋳鉄製のライニングプレート１２を設ける。【選択図】　図１
2004136139.tif 000002
【特許請求の範囲】
【請求項１】
底部に排出口を設けた円筒状の本体の中心に駆動軸を設け、その駆動軸の下部に、上面に刃を、下面に羽根を１又は複数設けた有孔円盤を設け、且つその上方に１又は複数の回転刃を放射状に設けると共に、本体内周面に１又は複数の刃を半径方向に突出して設けたことを特徴とする破砕機。
【請求項２】
本体内周面に直接凸部を設けるか、又は凸部を設けたライニングプレートを張設したことを特徴とする請求項１記載の破砕機。
【請求項３】
ライニングプレートが鋳鉄製であることを特徴とする請求項２記載の破砕機。
【発明の詳細な説明】
【０００１】
【発明の属する技術分野】
本発明は空缶等の資源ゴミをリサイクルしやすいように破砕する破砕機に関するものである。
【０００２】
【従来の技術】
スチールやアルミ等の空缶のゴミ処理は、空缶をそのまま、あるいはある程度押し潰してからゴミ収集車で収集し、ゴミ処理場で複数の空缶を圧縮してブロック状にしてから再利用又は廃棄していた。
【０００３】
しかし、上記処理方法では、ゴミ処理場に収集するまでは空缶の容積が大きいままで運搬するため、量がかさばり運搬コストが高くなる。発明者は運搬時に空缶を破砕し空缶の容積を減らすことで１台のゴミ収集車で多くの空缶を運搬できるという知見を得た。
【０００４】
【発明が解決しようとする課題】
そこで本発明は、車等に搭載可能の空缶を効率時に破砕することができる破砕機を提供しようとするものである。
【０００５】
【発明が解決するための手段】
本発明は、上記の課題を解決するためになされたもので、第１の発明は、底部に排出口を設けた円筒状の本体の中心に駆動軸を設け、その駆動軸の下部に、上面に刃を、下面に羽根を１又は複数設けた有孔円盤を設け、且つその上方に１又は複数の回転刃を放射状に設けると共に、本体内周面に１又は複数の刃を半径方向に突出して設けた破砕機である。
【０００６】
第２の発明は、第１の発明の本体内周面に直接凸部を設けるか、又は凸部を設けたライニングプレートを張設したものである。
【０００７】
第３の発明は、第２の発明のライニングプレートを鋳鉄製としたことである。
【０００８】
【実施例】
図１は、本発明の一実施例の一部縦側断面図、図２は上面キャップを外した場合の横断平面図、図３は有孔円盤の平面図、図４はその底面図である。
【０００９】
図において、１は破砕機の円筒状本体、２は排出口、３はエンジン、モーター等の駆動装置４によって駆動される駆動軸、５は半径方向に排出孔６，６，６，６、６，６を設け、その上面に排出孔６，６，６，６，６，６の一辺に沿って刃７，７，７，７，７，７が設けられ、下面には羽根８，８，８，８，８，８を設けた有孔円盤で、駆動軸３の下部に取付けられている。
【００１０】
９は一対の両刃の回転刃、１０，１０，１０と１１，１１，１１は本体１の内壁面に半径方向に突出して上下に配置された両刃、１２は複数の短冊状の凸部１２ａを設けたライニングプレート、１３は上面キャップ、１４は挿入された空缶や切断片が挿入口から飛び出すのを防止する上面キャップ１３の挿入口に設けられたゴム製の飛び出し防止幕である。
【００１１】
本発明にかかる破砕機は、通常車に搭載され、空缶の収集時に上面キャップ１３の挿入孔から空缶を投入し、本体内に投入された空缶は、駆動装置４により回転する回転刃９と有孔円盤上の刃７によって切断される。この時、空缶はライニングプレート１２の凸部１２ａに係止されるので、回転刃９と刃７の回転によって切断される。
【００１２】
切断された切断片や、次々に投入される空缶は、回転刃９と有孔円盤５により回転力を与えられて内壁面に設けられた両刃１０，１１によって切断される。またライニングプレート１２の凸部１２ａにぶつかった切断片群は四方八方に飛散するので、更に回転刃９と刃７のみでなく、両刃１０，１１により切断される機会が多くなり、細かい切断片となる。
【００１３】
切断片はある程度まで小さくなるまで本体１内で切断され続けた後、排出孔６を通って落下し、羽根８により押し出され排出口２から本体１外に排出される。
【００１４】
なお、ライニングプレート１２を鋳鉄製にすることによって、破砕時の騒音が低く抑えられる。
【００１５】
ここでは、本件内周面に凸部を設けたものを例示したが、仕様によっては、凸部を省略する場合もある。
【００１６】
【発明の効果】
以上本発明によれば、運搬時に空缶を細く破砕するため、多くの空缶を運搬することができ、また破砕時の騒音も低く抑えられる。また排出した切断片はマグネットドラムによる分別機によりアルミやスチール等の分別が簡単に行え、小型の分別装置を使用できるため、車に搭載して空缶の収集と同時に分別作業も可能となり、ゴミ処理の効率が向上する実益がある。
【図面の簡単な説明】
【図１】本発明の一実施例の一部縦断側面図。
【図２】本発明の一実施例の横断平面図。
【図３】本発明実施例の有孔円盤の平面図。
【図４】本発明実施例の有孔円盤の底面図。
【符号の説明】
１　　　　　本体
２　　　　　排出口
３　　　　　駆動軸
４　　　　　駆動装置
５　　　　　有孔円盤
６　　　　　排出孔
７　　　　　刃
８　　　　　羽根
９　　　　　回転刃
１０，１１　両刃
１２　　　　ライニングプレート
１３　　　　上面キャップ
１４　　　　飛び出し防止幕
【図１】
2004136139.tif 000003
【図２】
2004136139.tif 000004
【図３】
2004136139.tif 000005
【図４】
2004136139.tif 000006
(57)【要約】【課題】携帯電話の防水ケースでありながら装着したまま使用でき、緩衝機能も有り、不使用時には邪魔にならない。また外形の不ぞろいにも有る程度順応できる。【解決手段】透湿生地と中のボタンが見えるビニールシートとを熱溶着で接合加工し防水と通気を同時に確保する。出入り口は心棒に巻き取って、適宜携帯電話の長さに合わせてクリップで止め止水する。　このため心棒によって生地面同士がお互いに密着して防水性が保たれる。心棒の巻き取り回数に依って、携帯電話の縦サイズの違いにも合わせられる。【選択図】　図１
2004136044.tif 000002
【特許請求の範囲】
【請求項１】
微細な孔を持つ透湿フィルムと生地を張り合わせることに依って出来た透湿生地とビニールシートとを熱溶着に依って接着してできた防水ケース。
【請求項２】
収納物のケースへの出し入れは、袋口に棒状の心材を取り付け、袋口を心材に数回巻き付けて適宜な位置で戻らないようにクリップ等で止めて、水の侵入を防ぐことを特徴とする防水ケース。
【発明の詳細な説明】
【０００１】
【発明の属する技術分野】
本発明は携帯電話、電気製品等の精密機械の防水ケースに関する。
【０００２】
【従来の技術】
射出成型で作ったプラスッチックの防水ケースは強度、製作上の技術的な制約でケース自体の壁厚が必要になり、せっかくコンパクトに作った携帯電話もプラスッチックケースに収納すると、総容積が大きくなり本来のコンパクトな利点が失われる。　また不使用時も邪魔になり、価格も高価で、サイズの変化にも対応しにくい。
ポリ袋状のソフトタイプは破れ易く、落とした際の衝撃にも弱い。
だぶついて手に持った時のフィット感が悪い。
またシートの厚みを増やすと、通話が不鮮明になり支障がでる。
両タイプ共多種に及ぶ携帯電話の機種サイズに対応できない。
【０００３】
【発明が解決しようとする課題】
そこで本考案は不使用時は邪魔にならないソフトタイプでありながら、外気とケース内に通気性を持たせ結露が発生しにくく、耐久性が有り、衝撃にも有効で有り、尚且つケース内に納めたまま自由に通話でき、携帯電話のサイズの違いにも対応できる携帯電話機の防水ケースの提供を課題とする。
【０００４】
【課題が解決するための手段】
透湿フィルムと生地とを張り合わせた透湿生地（１）に高周波、超音波、Ｔ．Ｐ．Ｕ等の加工方法でビニールシート（２）を熱溶着し防水接合する。
接合部分は強力に溶着結合し防水性は保たれる。
また、この時透湿生地側に横又は縦横２方向に伸びるストレッッチ材を使えば収納物の表面の凸凹やサイズの大小にも伸縮して対応できる。
表面側ダイヤル部分のビニールシートをブロー成型すれば、機種の曲面（２）に対応できＲ曲面のデザインが可能である。　ビニールが電話のダイヤル面側と底部分までを一体化した場合、送話口のあたるビニール部分に孔を空け、透湿生地（１）で覆えば防水性は保たれたままで送話に支障は無い。
不使用時にはコンパクトになり、軽く、衝撃にもつよく、ケース内に入れたまま通話できる。　また透湿性生地には通気性があるので、結露を抑えることもできる。
携帯電話のサイズ違いに対しては幅方向はストレッチ材で順応し、縦方向は出入り口に設けた棒状の心材（３）を中心に、口元を巻き込むので、巻き込む回数によって長さを調節できる。　上端にアンテナの有るタイプはアンテナを少し引き出した状態で口元の巻き込みを止めクリップで止めれば、アンテナの使用も可能である。
【０００５】
【発明の実施の形態】
生地（６）に透湿フィルム（７）を張り合わせた透湿生地と平面又はブロー成型で曲面を作ったビニールシート（２）を高周波、超音波又はＴＰＵ加工で熱溶着（５）する。
出し入れ口にはアルミ、ビニールチューブ等の棒状の心材（３）を設けて、口許を携帯電話の長さに合わせてロール状に巻き込んで止水し、止水口が戻って開かないようにクリップ（４）で止める。
【０００６】
【発明の効果】
簡単で低コストな防水ができ、不使用時には邪魔にならず、外からの衝撃にも有る程度内容物を保護できる。　携帯電話のように小さくて形も一定しないものもストレッチ材とビニールのブロー成型の組み合わせでデザイン的にも違和感なくん順応でき、ケースを装着したまま通話できる結露の付きにくい全天候型の防水ケース。
【図面の簡単な説明】
【図１】斜視図である。
【図２】正面図である。
【図３】側面図である。
【図４】透湿性生地の分解図である。
【符号の説明】
１　透湿生地
２　ビニールシート
３　口許の巻き取り心棒
４　止めクリップ
５　熱溶着接合
６　生地
７　透湿フィルム
【図１】
2004136044.tif 000003
【図２】
2004136044.tif 000004
【図３】
2004136044.tif 000005
【図４】
2004136044.tif 000006
(57)【要約】【目的】容易にかつ短時間に脈拍数を測定できる脈拍数測定器を提供することである。【構成】検者が、被検者の脈拍あるいは心拍を感知するたびに、入力キー１を押すことによって、最初に入力キー１を押してから最後に入力キー１を押すまでの計測時間Ｔを計測する時間計測部２と、入力キー１を押した回数Ｎを測定する入力回数測定部３と、入力キー１を押すたびに即座に、前記計測時間Ｔと回数Ｎから脈拍数を演算する演算部４と、演算によって得られた脈拍数を、入力キー１を押すたびに表示する表示部５を具備する脈拍数測定器。【選択図】　図１
2004136043.tif 000002
【特許請求の範囲】
【請求項１】
検者が、被検者の脈拍あるいは心拍を感知するたびに、入力キー（１）を押すことによって、最初に入力キー（１）を押してから最後に入力キー（１）を押すまでの計測時間（Ｔ）と、入力キー（１）を押した回数（Ｎ）から、即座に脈拍数を演算し、演算によって得られた脈拍数を、入力キー（１）を押すたびに表示部（５）に表示する脈拍数測定器。
【請求項２】
検者が、被検者の脈拍あるいは心拍を感知するたびに、入力キー（１）を押すことによって、最初に入力キー（１）を押してから最後に入力キー（１）を押すまでの計測時間（Ｔ）を計測する時間計測部（２）と、入力キー（１）を押した回数（Ｎ）を測定する入力回数測定部（３）と、入力キー（１）を押すたびに即座に、前記計測時間（Ｔ）と回数（Ｎ）から脈拍数を演算する演算部（４）と、演算によって得られた脈拍数を、入力キー（１）を押すたびに表示する表示部（５）を具備する脈拍数測定器。
【請求項３】
演算式として、入力キー（１）を押した回数（Ｎ）から１を引いた値を、最初に入力キー（１）を押してから最後に入力キー（１）を押すまでの計測時間（Ｔ）で除して脈拍数を求める請求項１または２記載の脈拍数測定器。
【請求項４】
入力キー（１）を押し、時間計測部（２）および入力回数測定部（３）に信号が入力された際に電子音を発する請求項１または２記載の脈拍数測定器。
【発明の詳細な説明】
【０００１】
【発明の属する技術分野】
本発明は、診療などの際に簡単に脈拍数を測定するためのものである。
【０００２】
【従来の技術】
医師、看護師などが、日常診療において被検者の脈拍数を測定する場合、触診にて被検者の脈拍を触知し、時計を見ながら１分間の心拍数を測定している。
【０００３】
【発明が解決しようとする課題】
日常診療において、不整脈のない被検者では、１分間脈拍数を測定することは時間的な問題からあまり行なわれていない。大抵、３０秒間脈拍を数えその数を２倍したり、１５秒間脈拍を数えその数を４倍したりされているが、短時間の測定では精度が落ちてしまう問題があった。また、測定のためには秒の計測ができる時計が必要であった。
【０００４】
【課題を解決するための手段】
本発明は、検者が、被検者の脈拍あるいは心拍を感知するたびに、入力キーを押すことによって、入力キーを押した回数と計測時間から即座に脈拍数を演算し、表示する脈拍数測定器である。
【０００５】
【実施例】
以下、本発明の実施例を図面を参照しながら説明する。図１は、本発明の実施例の脈拍数測定器の回路構成図である。検者が、被検者の脈拍あるいは心拍を感知するたびに、入力キー１を押すことによって、最初に入力キー１を押してから最後に入力キー１を押すまでの計測時間Ｔを計測する時間計測部２と、入力キー１を押した回数Ｎを測定する入力回数測定部３と、入力キー１を押すたびに即座に、前記計測時間Ｔと回数Ｎから脈拍数を演算する演算部４と、演算によって得られた脈拍数を、入力キー１を押すたびに表示する表示部５を具備する脈拍数測定器である。
【０００６】
脈拍数は、入力キー１を押した回数Ｎから１を引いた値を、最初に入力キー１を押してから最後に入力キー１を押すまでの計測時間Ｔで除して求めることができる。また、入力キー１を押し、時間計測部２および入力回数測定部３に信号が入力された際に電子音を発するようにすれば、測定ミスを防ぐことができる。
【０００７】
【発明の効果】
本発明の脈拍数測定器を用いれば、従来使用していた時計は不要となり、容易にかつ短時間に比較的精度の高い脈拍数の測定が可能である。
【図面の簡単な説明】
【図１】本発明の実施例の脈拍数測定器の回路構成図である。
【符号の説明】
１　入力キー
２　時間計測部
３　入力回数測定部
４　演算部
５　表示部
【図１】
2004136043.tif 000003
(57)【要約】【課題】高齢者がパンツ型紙おむつを着用する場合、高齢者の多くの人は握力の低下や手指の麻痺などの理由から排泄時に紙おむつを下ろす事はできても、紙おむつを掴んであげるという行為が困難である為、自分で容易に紙おむつのあげおろしが出来るようにする事。【解決手段】わずかな手指の力でも容易に紙おむつをあげる事ができるように、紙おむつの胴回りの外側に指にひっかかる、ひっかかりを数ヶ所設けて課題を解決しようとしている。【選択図】　図１
2004136050.tif 000002
【特許請求の範囲】
【請求項１】
胴回りの外側に、指にひっかかる袋状のひっかかりを数ヶ所有し、紙おむつを、はく時そのひっかかりに指をかけて、紙おむつをはきやすくする事ができることを特徴とする紙おむつ。
【請求項２】
胴回りの外側に、指にひっかかる帯状のひっかかりを数ヶ所有し、紙おむつを、はく時そのひっかかりに指をかけて、紙おむつをはきやすくする事ができることを特徴とする紙おむつ。
【発明の詳細な説明】
【０００１】
【発明の属する技術分野】
本発明は、着用者の排泄時における自立支援を目的とする、紙おむつに関するものである。
【０００２】
【従来の技術】
従来のパンツ型紙おむつは、着用者の排泄時における自立支援を目的としているものの、着用者は高齢であり、その多くの人が握力の低下や手指の麻痺などの理由から排泄時に紙おむつを下ろす行為はできても、紙おむつを掴んであげる行為が困難であり不自由な点があった。
【０００３】
【発明が解決しようとする課題】
上記した従来のパンツ型紙おむつの場合、着用者が高齢であり、その多くの人が握力の低下や手指の麻痺などの理由から排泄時に紙おむつを下ろす事はできても、紙おむつを掴んであげるという行為が困難である為、自分で容易に紙おむつのあげおろしができる事を課題とする。
【０００４】
【課題を解決する為の手段】
前述の課題を解決するにあたり、本発明では、わずかな手指の力でも容易に紙おむつをあげる事ができるように、紙おむつの胴回りの外側に指にひっかかる、ひっかかりを数ヶ所設けて課題を解決しようとしている。
【０００５】
【発明の実施の形態】
図１は、パンツ型紙おむつの胴回りの外側に指にひっかかる袋状のひっかかりを数ヶ所設けた図である。
【０００６】
図２は、パンツ型紙おむつの胴回りの外側に指にひっかかる帯状のひっかかりを数ヶ所設けた図である。
【０００７】
図１、図２の紙おむつは共に紙おむつを下ろす時には、通常どうりに下ろす事ができ、また、あげる時には、図１の袋状のひっかかり又は、図２の帯状のひっかかりに指をかけて、わずかな力でも容易に紙おむつをあげる事ができる。
【０００８】
以上のことから、従来の紙おむつのように、紙おむつをあげる時に紙おむつを掴んであげる必要がなく、リウマチや手指の麻痺といった理由から、握力が低下している人でも、紙おむつを掴むことなく、袋状のひっかかり又は帯状のひっかかりに指をかけるだけで、わずかな力でも、容易に紙おむつをあげることができる。
【０００９】
【発明の効果】
実施例で示したように、紙おむつをはく時に、紙おむつを掴んであげる必要がないので、リウマチや手指の麻痺といった理由から握力が低下している人でも、袋状のひっかかり又は、帯状のひっかかりに指をかけるだけで、わずかな力でも容易に紙おむつをあげて、はく事ができるので、着用者である高齢者の排泄時における自立支援に適している。
【図面の簡単な説明】
【図１】胴回りに袋状のひっかかりを数ヶ所設けた本発明の紙おむつの外観図
【図２】胴回りに帯状のひっかかりを数ヶ所設けた本発明の紙おむつの外観図
【符号の説明】
１　指にひっかかる袋状のひっかかり
２　指にひっかかる帯状のひっかかり
【図１】
2004136050.tif 000003
【図２】
2004136050.tif 000004
(57)【要約】　　　（修正有）【課題】手首や腕に異常なストレスをかけることなしにパチスロをプレイできるパチスロ機の提供を目的とする。【解決手段】パチスロ機にコインホッパー１を設けコインホッパーの中に一度に複数枚のコインを投入することができ、円滑棒２の上部をコイン落ち口３に向けて滑り落ち込むようになっている。又スイッチ６を足で踏むことにより電極版７と電極版８が接し通電しスロットが回転するようになっている。又はワイヤー及びナイロン糸１０がパチスロ機の手動スタートレバー１２と接続し、足で踏む事によりワイヤー及びナイロン糸１０が引っ張られスタートレバー１２が作動するようになっている。【選択図】図１
2004136047.tif 000002
【特許請求の範囲】
【請求項１】
パチスロ機のコイン投入口に四角錐台のコインを投入するためのコイン投入ホッパーを設ける。ホッパー内側三面に円滑棒を設ける事によりコインが抵抗なく落口の方向へ滑り投入口へ落ち込む機能を備えたことを特
徴とするパチスロ機
【請求項２】
パチスロ機下方部床にフットレバースイッチを設け足で踏むことによりスタートレバーのスイッチが入り放すとスプリングのバネ力により定
位置に復帰する。
又はワイヤー及びナイロン糸でパチスロ機の手動レバーと接続し足で踏む事によりワイヤー及びナイロン糸が引っ張られスタートレバーが作動する機能
を備えたことを特徴とするパチスロ機
【発明の詳細な説明】
【０００１】
【産業上の利用分野】
この発明はパチスロ機に係るもので詳しくはパチスロ機のコイン投入ホッパー及びフットレバースイッチの構造に関するものである。
【０００２】
【従来の技術】
従来のパチスロ機はコイン投入口より１枚から３枚のコインを投入しスタートレバーを引く事によりパチスロ機の前面中央部に位置する画面が回転しその回転している画面を停止ボタン１から３までを押して止める仕組になっている。
以上上記の作業を長時間にわたり繰り返し行わなければならずプレイする人は手首や腕にかけて無理な力がかかり手首や腕の筋肉痛に悩まされたり腱鞘炎に罹り長期療養を余儀なくされたり、手首や腕の痛みが生じ仕事等の日常生活に支障を来すという欠点があった。
【０００３】
【発明が解決しようとする課題】
この発明は従来の技術で記述した欠点を解消するためになされたもので手首や腕に異常なストレスをかけることなしにパチスロをプレイする事ができるパチスロ機の提供を目的とするものである。
【０００４】
【課題を解決するための手段】
パチスロ機のコイン投入口に四角錐台のコインを投入するためのコイン投入ホッパーを設ける。ホッパー内側三面には円滑棒を設ける事によりコインが抵抗無く落ち口の方向へ滑り投入口へ落ち込む。
【０００５】
パチスロ機下方部床にフットレバースイッチを設け足で踏むことによりスタートレバーのスイッチが入り放すとスプリングのバネ力により定位置に復帰する。又はワイヤー及びナイロン糸でパチスロ機の手動レバーと接続し足で踏む事によりワイヤー及びナイロン糸が引っ張られスタートレバーが作動する。
【０００６】
パチスロ機に四角錐台のコインポッパーを設けることでプレイする人は手動での動作が少なくなり、手首や腕にかかる負担を最小限に抑えることができる。
【０００７】
パチスロ機下方部床にフットレバースイッチを設けることにより手動での作業を分散することができるので手首や腕にかかる負担を軽くすることができる。
【０００８】
【実施例】
本発明の実施の一例を示す図面を参照して説明するに図１乃至図４においてパチスロ機コイン投入ホッパー１を設けコイン投入ホッパーの中に複数個のコインを投入する。投入されたコインは円滑棒２の上部を抵抗なく滑りコイン落口３の方向へ移動し、落ち込むように設計されている。
【０００９】
パチスロ機の下方部床にフットレバースイッチ４の土台部を設置しボルト５で固定する。スイッチ６を踏むことにより電極版７と電極版８が接し配線１１によりスロットが回転する。又スイッチ６を踏むことによりワイヤー及びナイロン糸１０が引っ張られスタートレバー１２が作動し回転する。足を離すことによりスプリング９の力により定位置に復帰するように設計されている。
【００１０】
【発明の効果】
本発明は以上のように構成されているので次のような効果を呈する。
【００１１】
コインホッパーを設けることによりコインを投入することで順次一連の動作を繰り返すことが少なくなるため、プレイする人は手首や腕に無理な力を入れる必要はなく、コインをホッパーの中に投入するだけでよいから長時間のプレイでも従来のように手首や腕の筋肉痛又は腱鞘炎に悩まされることがない。
フットレバースイッチを設置する事により手動での動作が減り手動での動作を分散する事により上記に記述したような効果を生みだすものである。
この発明は以上のような効果を有しその産業上の利用価値は高い。
【図面の簡単な説明】
【図１】パチスロ機を側面から見た全体図である。
【図２】コインホッパーの一例を示す平面図である。
【図３】コインホッパーの一例を示す正面図である。
【図４】フットレバースイッチの一例を示す側面図である。
【符号の説明】
１　コインホッパー
２　円滑棒
３　落ち口
４　土台
５　ボルト
６　スイッチ
７　電極
８　電極
９　スプリング
１０　ワイヤー及びナイロン糸
１１　電線
１２　スタートレバー
【図１】
2004136047.tif 000003
【図２】
2004136047.tif 000004
【図３】
2004136047.tif 000005
【図４】
2004136047.tif 000006
(57)【要約】【課題】幼児から子供たち、そしてお年寄りが歯を磨くときに、鈴の音色に興味をもち、抵抗なく楽しみながら喜んで歯磨きを要求し、美しい鈴の音色を聞きながら歯を磨く鈴の音歯ブラシを提供する。【解決手段】歯ブラシ本体（１）の左側のブラシ部と右側部の柄部（３）を設ける。柄部（３）の内部を中空にして、その奥、歯ブラシ本体（１）の中心部近くに仕切り（４）を設け、かつ中空の柄部（３）の右側先端近くに数個の音色を出す穴（５）を設け、中空の中に鈴（７）を挿入して、蓋（６）で塞いだのを特徴とする。【選択図】　　図６
2004136049.tif 000002
【特許請求の範囲】
【請求項１】
歯ブラシ本体（１）を左側部のブラシ部（２）と右側部に柄部（３）からなり、該柄部（３）の内部を中空にし、その中空の柄部（３）の奥部の細くなる歯ブラシ本体（１）の中心部に仕切り（４）を設け、中空の柄部（３）の右側先端部近くに数個の小さな穴部（５）を設け、又、右側先端部に蓋（６）を設けて塞ぎ、鈴（７）を中空の柄部（３）の内部に挿入して、歯ブラシで歯を磨くたびに鈴（７）がコロコロ転がり、鈴の音を数個の小さな穴部（５）から外部に発し美しい音色をだす鈴の音歯ブラシである。
【請求項２】
歯ブラシ本体の柄部の内部を中空にして、中空の内部に鈴を挿入して、蓋をして塞ぎ、歯を磨くことにより美しい音色を小さな穴からだす請求項１記載の鈴の音歯ブラシ。
【発明の詳細な説明】
【０００１】
【発明の属する技術分野】
この発明は、幼児が歯を磨くとき、幼児に抵抗もなく、喜んで歯を磨けるように歯ブラシの柄の部分を中空にして、その中に鈴を挿入した歯ブラシに関するものである。
【０００２】
【従来の技術】
従来、乳幼児用歯ブラシの技術が知られている（例えば、特許文献１参照）。
【０００３】
【特許文献１】
特開平１１−７５９３７号公報（１図）
【発明が解決しようとする課題】
これには、次のような欠点があった。
（１）　今までの歯みがきは、嫌なものだという印象を幼児から子供たちに植え付け、親子で苦痛な時間を毎日繰り返している。
（２）　子供達に対する歯ブラシに工夫がなかった。
本発明は、これらの欠点を除くためになされたものである。
【０００４】
【問題を解決するための手段】
歯ブラシ本体（１）の左側部にブラシ部（２）を、右側部に柄部（３）を設ける。
そして、柄部（３）の内部を中空にして、中空の柄部（３）の奥部の歯ブラシ本体（１）の中心部の細くなる処に仕切り（４）を設け、中空の柄部（３）の右側先端近くに数個の小さな穴部（５）を設け、右側先端部に蓋（６）を設けてふさぎます。
鈴（７）を中空の柄部（３）の内部に挿入して、歯を磨くたびにコロコロ転がり、鈴の音を数個の小さな穴（５）から外部に発する。
本発明は、以上のような構成よりなる鈴の音歯ブラシである。
【０００５】
【発明の実施の形態】
以下、本発明の実施の形態について説明する。
（イ）　歯ブラシ本体（１）の左側部に歯ブラシ部（２）を儲け、右側部に柄部（３）を設ける。
（ロ）　柄部（３）の内部を中空にして、その中空の奥の細くなる歯ブラシ本体（１）の中心部に仕切り（４）を設ける。
（ハ）　柄部（３）の右側先端近くに数個の穴（５）を設け、右側先端部に蓋（６）を設ける。
（ニ）　鈴（７）を柄部（３）の中空の内部に挿入して蓋（６）で塞ぐ。
本発明は以上のような構造で、これを使用するときには、歯を磨く度に、歯ブラシを左右に動かすことで柄部の中空部の中を鈴がコロコロ転がり、鈴の音色が数個の小さな穴から聞こえてくる。
【０００６】
【発明の効果】
（１）　歯ブラシの柄部を中空にし、数個の穴を開けたことで、中の鈴の音がこもらず、冴えた本当の音色を聞くことができる。
（２）　鈴は美しく、きれいな音をだします。幼児から子供までは、大人の何倍もの聴覚があると聞く、音の良い悪しで精神的作用も大きいと思います。
（３）　幼児から子供達まで鈴の音色に興味を持ち、喜んで、歯みがきを要求し、自分からも歯ブラシを持つようになると思います。又、お年よりも鈴の音に誘惑されて、私も使ってみようかと思うでしょう、ボケ防止にもなります。
【図面の簡単な説明】
【図１】本発明は、正面図である。
【図２】本発明は、底面図である。
【図３】本発明は、右側面図である。
【図４】本発明は、蓋（６）の側面図である。
【図５】本発明は、仕切り（４）の正面図である。
【図６】本発明は、正面図の一部を欠いた断面図である。
【符号の説明】
１　　歯ブラシ本体
２　　歯ブラシ部
３　　柄部
４　　仕切り
５　　穴部
６　　蓋
７　　鈴
【図１】
2004136049.tif 000003
【図２】
2004136049.tif 000004
【図３】
2004136049.tif 000005
【図４】
2004136049.tif 000006
【図５】
2004136049.tif 000007
【図６】
2004136049.tif 000008
(57)【要約】【目的】目薬容器から点眼する時に、目薬液滴下口が目の焦点距離よりもはるかに近くにあるため、滴下口が定かに視認できず、確実に点眼できない。目薬容器の目薬液滴下口に光源を設けて、滴下口をはっきりと視認しながら確実に点眼できるようにする。【構成】図２のように、発光体セット３の光源４を目薬滴下口２に装着したうえで、発光体セット３の嵌合つめ６を、目薬容器１に設けた嵌合溝７に嵌め合わせることにより、発光体セットを目薬容器に装着する。光源４の導線部分８は、目薬液滴下口２の下のキャップねじ部に設けた導線溝９に嵌めこみ、発光体セット３を装着したままキャップが出来るようにする。光源には消費電力の小さいＥＬ（エレクトロルミネッセンス）を使うことにより、コンパクトかつ充分な発光に加えてボタン式電池の逐電量・電流でも長時間使用可能となる。【選択図】　　　　図２
2004136048.tif 000002
【特許請求の範囲】
【請求項１】
目薬容器の滴下口に光源を設けた目薬容器及び点眼補助具。
【発明の詳細な説明】
【０００１】
【発明の属する技術】目薬容器から眼球に目薬液を点眼するに際しては、目薬容器の目薬液滴下口が眼球の焦点距離よりはるか内側に位置するため、滴下口を定かに視認できない。滴下口に光源を設けることにより滴下口を自ら明確に視認できるようにして、眼球に過ちなく目薬液を点眼できるようにしたものである。
【０００２】
【従来の技術】目薬液を眼球に過ちなく点眼するために、瞼を強制的に開かせたり、瞼を開いた状態のまま保つ機能を持たせた目薬点眼補助具はあるが、光源を設けて目薬滴下口を自ら視認して目薬液を過ちなく点眼できるようにしたものはない。
【０００３】
【発明が解決しようとする課題】目薬容器の目薬液滴下口を自ら視認できるようにして、過ちなく眼球に目薬を点眼できるようにする。
【０００４】
【課題を解決する為の手段】図１及び図２のように、目薬容器１に装着した発光体セット３により目薬液滴下口２に光源４を装着し、点灯した光源を自ら視認しつつ過ちなく眼球に点眼できるようにする。
【０００５】
【実施例】
（１）目薬容器の付属部品としての発光体セット
図１及び図２のように、発光体セット３の光源４を目薬滴下口２に装着したうえで、発光体セット３の嵌合つめ６を、目薬容器１に設けた嵌合溝７に嵌め合わせることにより、発光体セットを目薬容器に装着する。スライド式電源ボタン５を押し下げて光源４に点燈して、光源４を視認しながら目薬を点眼する。
光源４の導線部分８は、目薬液滴下口２の下のキャップねじ部に設けた導線溝９に嵌めこみ、発光体セット３を装着したままキャップが出来るようにする。
光源には消費電力の小さいＥＬ（エレクトロルミネッセンス）を使うと、充分な発光に加えてボタン式電池及び直流交流変換チップによる電流でも長時間使用可能となる。
（２）目薬点眼補助具としての発光体セット
発光体セットを付属品として目薬容器に装着するように準備されていない従来の目薬容器に、目薬点眼補助具として発光体セットを装着できるようにする場合は、図３及び図４のようにフリーサイズの発光体セットを準備する。
発光体セットに設けた保持フック１０を目薬容器の肩部１１にかけ、発光体セット３の下部に取り付けたゴムリング１２を、目薬容器を一回りさせるように回して発光体セット３のゴム止め１３にかけて装着する。
光源については（１）と同様にＥＬを使用する。
【０００６】
【発明の効果】目薬容器１の目薬液滴下口２に光源４を設けて、点灯した状態で点眼する事により、目薬液滴下口２の位置を視認する事が出来るようになり、確実に点眼する事が出来る。
【図面の簡単な説明】
【図１】目薬容器の付属品としての光源セットの装着状態を示した図
【図２】目薬容器と光源セットの関係を示した図
【図３】目薬点眼補助具としての、目薬容器と光源セットの関係を示した図
【図４】目薬点眼補助具としての、光源セットの装着状態を示した図
【符号の説明】
１　目薬容器
２　目薬液滴下口
３　光線セット
４　光源
５　スイッチ
６　嵌合つめ
７　嵌合溝
８　導線部分
９　導線溝
１０　保持フック
１１　目薬容器の肩部
１２　ゴムリング
１３　ゴム止め
【図１】
2004136048.tif 000003
【図２】
2004136048.tif 000004
【図３】
2004136048.tif 000005
【図４】
2004136048.tif 000006
(57)【要約】水又は空気をクッションにしたゴム状のマットで、小形の隔室を沢山作り、高さや硬さが異なるような構造にし、その上を歩くと身体のバランスが崩れ、それを回復しようとして全身の筋肉を使うために、短時間で効果的な運動となり、これを身障者のリハビリや幼児の成長のために使用するとか、健常者でも運動不足の解消と同時にボケ防止にも役立つ等大きな利用効果があるバランスマットである。【目的】簡単な用具で、安全で効果的に健康を増進することが目的である。【構成】上下２枚のゴム状のシートと逆止弁などで構成される。【選択図】　　図１
2004136052.tif 000002
【特許請求の範囲】
【請求項１】
水マット又は空気マットにおいて、水又は空気を入れる部屋を沢山作り、この中に水又は空気を風船状に封入し、これらの各部屋間を水又は空気が穴や管で一部流通するようにし、この風船状の瘤の上を歩くと、瘤が凹み身体の重心のバランスが崩れ倒れ易くなり、倒れないよう身体のバランスを取るため全身運動として有効なバランスマット。
【請求項２】
水・空気又はクッション材を入れる風船状の部屋を沢山作り、低くしたり、高くしたり、又、その高低の配置をランダムして、身障の障害度に応じてマットを使い分ける事を特徴とした（請求項１）記載のバランスマット。
【発明の詳細な説明】
【０００１】
【産業上の利用分野】
身障者のリハビリのための用具に関するものである。
【０００２】
【従来の技術】
従来の水マットや空気マットは、寝具として使用され、その特性であるクッションを利用して良い睡眠を得るために利用されていた。これを身障者のリハビリ用として利用した前例は無い。
【０００３】
【発明が解決しようとする課題】
本発明は、簡単な用具で身障者の平衡感覚や歩行を容易にし、早く自立出来るようにする目的のものである。
【０００４】
【課題を解決するための手段】
従来、歩行困難障害者のリハビリは、補助者が手助けをしたり、手摺りに掴まりながら歩行訓練をするのが通常であるが、これを特殊な水や空気マットを使用し、自力で訓練をすることによって課題を解決するものである。
【０００５】
【作用】
人間は、不安定な上で歩行をするとバランスを崩し、それを立て直そうとするには、全身の筋肉を使うために全身の運動になる。健常者は勿論のこと、怪我や脳疾患から来る身体障害のリハビリには、補助具を使うより遙かに効果的である。その上バランスを崩して転んだとしても、怪我することはないので、遊び心でトレーニングが出来る。
この本発明は、水又は空気によって風船状に膨らんだゴム状プラスチックシートで部屋を沢山作り、この部屋は、時には規則的に、時にはランダムに並びこの各部屋間を水や空気が通るようにし、足で踏むと急に萎むものと少しずつ萎むものとがあり、その為余計バランスが崩れるようになり、それを回復するために身体中の筋肉を使うため、リハビリには大きな効果がある。又、健常者でもこれを使用することによって、身体全体の筋肉を強化するので部屋の中で散歩以上の効果がある。
使用場所としては、リハビリ施設や家庭の他に、運動会（幼稚園等）の障害物競走とか、幼児のヨチヨチ歩きに使用すると、遊び心で身体全体を早く丈夫にするのに効果的である。
その上、三半規管の働きを良くし、視床下部を刺激し、ボケ予防にも大きな効果がある。
【０００６】
【実施例】
本発明を実施例を示す図面により説明する。
（図１）は本発明の一実施例を示す平面図で、１，はベースになる主シートで、２，ゴム状シートよりは、少し厚めのものを使用する。２，ゴム状シートは、或程度丈夫で伸縮する部材（例えばビニール）を使用する。（図２）に示すように、２，ゴム状シートの中に水、又は空気を膨らむ程度に入れて、３，高周波溶着により封印する。その時４，パイプをランダムに挟む。４，パイプは太さが何種類かあり、材質も一緒に溶着出来ないように変えてある。そのため、５，足で踏むと４，パイプより水又は空気が隣の部屋に逃げ萎む。４，パイプはは、太さが異なるため、萎む早さが違うので、身体のバランスが崩れ歩きにくい。６，は逆止弁で、水又は空気を流入した後逆流しないようにする。又、６，逆止弁はプラスチックなど柔らかいもので出来ていて、転んでも怪我しないようにしてある。（図３）は他の実施例で、水や空気を予め入れておき、３，高周波溶着することによって膨らんだ部屋が沢山出来る。この膨らみの高低をランダムに変える。図のように、Ａ，Ｂ，Ｃ，の３段階程度に変える。又、この脹らみを全体的に低くすれば幼児用、又は重い身障者用とし、脹らみを大きくすればバランスが取れにくくなるので、障害程度の低い人用に使用する。
このバランスマットを複数敷きつめて広くし、幼児や幼稚園児の運動に使用すると、面白く遊びながら筋力がつき、脳の発達にも寄与する。又、運動会の障害物競争にも使用できる。
又、水や空気の代わりに、クッション材を詰める構造もこの範ちゅうに入る。
【０００７】
【発明の効果】
本発明は、簡単な用具で大きな効果を得ることにある。即ち、このバランスマットの上を歩くだけで、身体のアンバランスを立て直そうとするため、身体の下半身だけではなく、全身の筋肉が鍛えられ、脳梗塞による半身不随や交通事故の運動機能のリハビリに効力を発揮するものである。又、ヨチヨチ歩きの幼児の体力増進や、脳の発達にも有効である。これを幼稚園児の運動に使用すると、体力増進となり、更に、脳の発達に寄与する。又、膨らみを大きくしたものは、家庭内で使用することにより日頃の運動不足を解消すると共に、三半規管の発達を促し、視床下部を刺激し、ボケ防止にも有効である。
【図面の簡単な説明】
【図１】本発明の一実施例を示す平面図
【図２】その主要部を示す断面図
【図３】本発明の他の例を示す平面図
【符号の説明】
１．ベースシート
２．ゴム状シート
３．高周波溶着のシーム
４．流通パイプ
５．人間の足
６．逆止弁
７．マジックファスナー
【図１】
2004136052.tif 000003
【図２】
2004136052.tif 000004
【図３】
2004136052.tif 000005
(57)【要約】【課題】簡単な構造で、きれいに丸い食材を放射状に等分する。【解決手段】裏面の印刷が表面から透けて見ることが可能で、さらに自在に曲がるシート１からなり、そのシート１の裏面には円２が印刷されており、その円２の円周上及び円周付近にはまず基点の目盛３ａが印刷されており、その基点の目盛３ａを基に３６０度をそれぞれ任意の数で等分する角度の位置に複数の目盛３、３ｂと、そのそれぞれの目盛３ａ、３、３ｂ付近には、等分の数を意味する数字４が反転されて印刷されており、その数字４は、３６０度を数等分する数をＸとするとＸ分の１と印されていることを特徴とするまな板。【選択図】　図１
2004136058.tif 000002
【特許請求の範囲】
【請求項１】
裏面の印刷が表面から透けて見ることが可能で、さらに自在に曲がるシートからなり、そのシートの裏面には円及び円の一部が印刷され、その円の円周上及び円周付近にはまず基点の目盛が印刷されており、その基点の目盛を基に３６０度をそれぞれ任意の数で等分する角度の位置に複数の目盛と、そのそれぞれの目盛付近には、等分の数を意味する数字が反転されて印刷されており、その数字は、３６０度を数等分する数をＸとするとＸ分の１と印されていることを特徴とするまな板。
【発明の詳細な説明】
【０００１】
【発明の属する技術分野】
本発明は、ケーキや料理、肉、野菜、果物、その他いろいろな食品や食材をきれいに等分するためのまな板に関する。
【０００２】
【従来の技術】
従来のまな板においては、目盛が印されているものはあった。
【０００３】
【発明が解決しようとする課題】
従来のまな板にあっては、印されている目盛は長さを測るためのものさし機能を有するものであって、長さを等分するのは可能であったが、丸いものを中心から放射状に切り込みを入れて等分するのは目分量であった。
【０００４】
【課題を解決するための手段】
この発明は、裏面の印刷が表面から透けて見ることが可能で、さらに自在に曲がるシートからなり、そのシートの裏面には円が印刷されており、その円の円周上及び円周付近にはまず基点の目盛が印刷されており、その基点の目盛を基に３６０度をそれぞれ任意の数で等分する角度の位置に複数の目盛と、そのそれぞれの目盛付近には、等分の数を意味する数字が反転されて印刷されており、その数字は、３６０度を数等分する数をＸとするとＸ分の１と印されている。
【０００５】
【発明の実施の形態】
以下、この発明の実施形態について、図面に基づいて説明する。図１は、この発明を表面から見た状態を示すもので、厚さ約０．８ミリメートル程度の透明なプラスチックのシート１から成っている。さらに、表面から見える円２や、目盛３、３ａ、３ｂ、数字４、中心点５は、裏面から印刷したものが表面に映って見えているものである。さらに裏面の印刷の詳しくは、まず円の中心点５が十字状に印刷されている。そして、その中心点５を中心とした円２が印刷されておりその円２の円周上には基点の目盛３ａが印刷されている、さらに、その基点の目盛３ａ、を基に３６０度を２から１０等分する際の角度の位置に、複数の目盛３、３ｂが印刷されている。そのそれぞれの目盛３、３ｂの位置は、例えば３６０度を９等分する際の目盛３ｂの場合で述べると、基点の目盛３ａを基に３６０度の９分の１である４０度の位置に印刷されている。その他の目盛３も同様の方法で３６０度の２から１０分の１の角度になるように計算されている。さらに前記のそれぞれの目盛３、３ａ、３ｂ付近には、等分する数を示す数字４が反転されて印刷されている、その数字４は、まず基点の目盛３ａ付近には０、その他の２から１０等分する角度の位置に印刷された目盛３、３ｂ付近には、２から１０等分する意味の数字が印刷されている。例えば３６０度を９等分する目盛３ｂの位置には９分の１と分数記号を用いて印刷されている。これら上記の印刷は、シート１裏面に印刷されていることによって、まな板としてシート１の表面を使用した際に刃物の刃によって削り消されることを防いでいる。
【０００６】
次に、この実施形態のまな板の使用方法について図１、２を用いて説明する。例えば、円柱状のケーキを９分の１にカットするときは、図２に示すように、まず、シート１に印された円２の中心点５とケーキ６、６ａの中心を合わせるようにしてケーキ６、６ａをシート１の上に置く、次に、基点の目盛３ａに合わせてケーキ６、６ａの中心から外に向かってナイフ等で切り目７ａを入れる、次に、９分の１の目盛３ｂに合わせてケーキ６、６ａの中心から外に向かって切り目７ｂを入れると９分の１の分量のケーキ６ａが分離される。さらに、残りのケーキ６を含めて全てで９等分するには、前記で述べた９分の１の目盛３ｂの場所で出来た切り目７ｂを、基点の目盛３ａに合わせるように中心はそのままの状態でケーキ６、６ａを回転せる、そして再び９分の１の目盛３ｂの箇所で切り目を入れる、この作業を数回繰り返すことによって円柱状のケーキ６、６ａが放射状に９等分出来る。以上の要領でこの実施形態では丸いものを２から１０等分することが出来る。
【０００７】
【発明の効果】
本発明は、簡単な構造で、丸い食品や食材をきれいに放射状に等分することが出来る。
【０００８】
【図面の簡単な説明】
【図１】本発明の実施形態を示す正面図である。
【図２】本発明の実施形態の使用状態を示す斜視図である。
【符号の説明】
１　シート
２　円
３、３ａ、３ｂ　目盛
４　数字
５　中心点
【図１】
2004136058.tif 000003
【図２】
2004136058.tif 000004